(57)【要約】【課題】任意の分析装置で使用可能なメソッドファイルの取得を容易にするメソッドフィルタリング装置、メソッドフィルタリング方法およびメソッドフィルタリングシステムを提供する。【解決手段】分析装置４０に含まれる各装置要素に固有の要素情報が当該分析装置４０から装置情報取得部Ａにより取得され、提供システム２から複数のメソッドファイルに関するメソッドファイル情報と、各メソッドファイルに適合する分析装置を特定するための装置特定情報とが提供システム情報取得部Ｃにより取得される。取得された要素情報と、取得されたメソッドファイル情報および装置特定情報とに基づいて、提供システム２により提供される複数のメソッドファイルのうち分析装置４０で使用可能なメソッドファイルが判定部Ｄにより判定され、判定結果が出力部Ｉにより出力される。【選択図】図２
2020030614.tif 000002
【特許請求の範囲】
【請求項１】
提供システムにより提供される複数のメソッドファイルのうち所定の分析装置で使用可能なメソッドファイルを判定するメソッドフィルタリング装置であって、
前記分析装置は、複数の装置要素を含むとともに、前記装置要素を変更可能に構成され、
前記装置要素に関する要素情報を前記分析装置から取得する装置情報取得部と、
前記提供システムから前記複数のメソッドファイルに関するメソッドファイル情報と、各メソッドファイルに適合する分析装置を特定するための装置特定情報とを取得する提供システム情報取得部と、
前記装置情報取得部により取得された要素情報と前記提供システム情報取得部により取得されたメソッドファイル情報および装置特定情報とに基づいて、前記提供システムにより提供される前記複数のメソッドファイルのうち前記分析装置で使用可能なメソッドファイルを判定する判定部と、
前記判定部による判定結果を出力する出力部とを備える、メソッドフィルタリング装置。
【請求項２】
使用者の指示に基づいて、前記判定部により前記分析装置で使用可能であると判定された１以上のメソッドファイルのうちいずれかのメソッドファイルを前記提供システムに要求するファイル要求部と、
前記ファイル要求部により要求されたメソッドファイルを前記提供システムから取得するファイル取得部とをさらに備える、請求項１記載のメソッドフィルタリング装置。
【請求項３】
装置特定情報は、各メソッドファイルの実行時に使用される試薬、消耗品または付属装置の種類を示す備品情報をさらに含み、
前記出力部は、備品情報に基づいて、前記判定部により前記分析装置で使用可能であると判定された各メソッドファイルの実行時に使用される試薬、消耗品または付属装置の種類についての情報をさらに出力する、請求項１または２記載のメソッドフィルタリング装置。
【請求項４】
備品情報は、試薬、消耗品または付属装置の生産国を示す情報をさらに含み、
前記出力部は、備品情報に基づいて、前記判定部により前記分析装置に適合すると判定された各メソッドファイルの実行時に使用される試薬、消耗品または付属装置の生産国についての情報をさらに出力する、請求項３記載のメソッドフィルタリング装置。
【請求項５】
前記出力部は、前記判定部による判定結果を表示部に表示させる表示制御部を含む、請求項１〜４のいずれか一項に記載のメソッドフィルタリング装置。
【請求項６】
前記出力部は、前記判定部による判定結果を記憶部に記憶させる記憶制御部を含む、請求項１〜５のいずれか一項に記載のメソッドフィルタリング装置。
【請求項７】
複数の装置要素を含むとともに、前記装置要素を変更可能に構成される分析装置と、
複数のメソッドファイルを提供するとともに、各メソッドファイルに適合する分析装置を特定するための装置特定情報を提供する提供システムと、
前記提供システムにより提供される前記複数のメソッドファイルのうち前記分析装置で使用可能なメソッドファイルを判定する請求項１〜６のいずれか一項に記載のメソッドフィルタリング装置とを備える、メソッドフィルタリングシステム。
【請求項８】
提供システムにより提供される複数のメソッドファイルのうち所定の分析装置で使用可能なメソッドファイルを判定するメソッドフィルタリング方法であって、
前記分析装置は、複数の装置要素を含むとともに、前記装置要素を変更可能に構成され、
前記装置要素に関する要素情報を前記分析装置から取得するステップと、
前記提供システムから前記複数のメソッドファイルに関するメソッドファイル情報と、各メソッドファイルに適合する分析装置を特定するための装置特定情報とを取得するステップと、
取得された要素情報と取得されたメソッドファイル情報および装置特定情報とに基づいて、前記提供システムにより提供される前記複数のメソッドファイルのうち前記分析装置で使用可能なメソッドファイルを判定するステップと、
判定結果を出力するステップとを含む、メソッドフィルタリング方法。
【発明の詳細な説明】
【技術分野】
【０００１】
本発明は、分析装置に適合するメソッドファイルをフィルタリングするメソッドフィルタリング装置、メソッドフィルタリング方法およびメソッドフィルタリングシステムに関する。
【背景技術】
【０００２】
質量分析装置またはガスクロマトグラフィ分析装置等の分析装置には、メソッドファイルと呼ばれるアプリケーションファイルがインストールされる。メソッドファイルは、分析装置の制御、分析データの収集、分析データ処理条件およびレポート出力等の条件を保管するアプリケーションファイルであり、例えばオンラインショッピングにより入手することが可能である。分析装置がメソッドファイルに基づいて動作することにより、当該分析装置にセットされたサンプルについての分析データの取得および出力が行われる。
【先行技術文献】
【特許文献】
【０００３】
【特許文献１】特開２００１−１８８８４０号公報
【発明の概要】
【発明が解決しようとする課題】
【０００４】
メソッドファイルをオンラインショッピング等により入手する場合、使用者は、提供されている種々のメソッドファイルのうち自己の分析装置の種類に適合するメソッドファイルを選択する必要がある。ここで、分析装置には、種々のカラム、検出器、型番および前処理装置等の多数の装置要素が含まれる。これらの装置要素の組み合わせにより、分析装置の種類は数百を超える。そのため、熟練していない使用者には、適切なメソッドファイルを選択することは容易ではない。したがって、従来、熟練していない使用者は、適切なメソッドファイルを選択するためにメソッドファイルの提供業者に問い合わせを行っていた。この場合、使用者の負担が大きい。
【０００５】
特許文献１には、使用者の負担を軽減しつつオンラインショッピングを行うことが可能な購買システムが記載されている。この購買システムにおいては、使用者は、購入を希望する商品（例えばインクカートリッジ）を指定する。この場合、使用者の情報処理装置は、商品の属性と使用者のプリンタの機種を特定するためのモデルＩＤ（識別子）とをコンテンツ提供者の装置に送信する。コンテンツ提供者の装置は、データベースを検索することにより商品属性とモデルＩＤとから商品を唯一に特定するための商品コードを抽出し、抽出された商品コードを使用者に提示する。
【０００６】
しかしながら、プリンタ等とは異なり、分析装置は使用目的に応じて装置要素を変更することによりカスタマイズされる。この場合、今まで適合していたメソッドファイルが適合しなくなったり、逆に、適合しなかったメソッドファイルが適合したりすることがある。このように、分析装置に適合するメソッドファイルは動的に変化するため、特許文献１に記載の購買システムを用いて任意の分析装置に適合するメソッドファイルを選択することは困難である。
【０００７】
本発明の目的は、任意の分析装置で使用可能なメソッドファイルの取得を容易にするメソッドフィルタリング装置、メソッドフィルタリング方法およびメソッドフィルタリングシステムを提供することである。
【課題を解決するための手段】
【０００８】
（１）第１の発明に係るメソッドフィルタリング装置は、提供システムにより提供される複数のメソッドファイルのうち所定の分析装置で使用可能なメソッドファイルを判定するメソッドフィルタリング装置であって、分析装置は、複数の装置要素を含むとともに、装置要素を変更可能に構成され、メソッドフィルタリング装置は、装置要素に関する要素情報を分析装置から取得する装置情報取得部と、提供システムから複数のメソッドファイルに関するメソッドファイル情報と、各メソッドファイルに適合する分析装置を特定するための装置特定情報とを取得する提供システム情報取得部と、装置情報取得部により取得された要素情報と提供システム情報取得部により取得されたメソッドファイル情報および装置特定情報とに基づいて、提供システムにより提供される複数のメソッドファイルのうち分析装置で使用可能なメソッドファイルを判定する判定部と、判定部による判定結果を出力する出力部とを備える。
【０００９】
このメソッドフィルタリング装置においては、分析装置に含まれる各装置要素に固有の要素情報が当該分析装置から取得され、提供システムから複数のメソッドファイルに関するメソッドファイル情報と、各メソッドファイルに適合する分析装置を特定するための装置特定情報とが取得される。取得された要素情報と取得されたメソッドファイル情報および装置特定情報とに基づいて、提供システムにより提供される複数のメソッドファイルのうち分析装置で使用可能なメソッドファイルが判定され、判定結果が出力される。
【００１０】
この構成によれば、分析装置の装置要素が変更された場合でも、メソッドファイル情報および装置特定情報に基づいて装置要素が変更された後の分析装置で使用可能なメソッドファイルが判定される。そのため、使用者は、分析装置の取り扱いに熟練していない場合でも、判定結果を視認することにより当該分析装置で使用可能なメソッドファイルを容易に認識することができる。これにより、任意の分析装置で使用可能なメソッドファイルを容易に取得することが可能になる。
【００１１】
（２）メソッドフィルタリング装置は、使用者の指示に基づいて、判定部により分析装置で使用可能であると判定された１以上のメソッドファイルのうちいずれかのメソッドファイルを提供システムに要求するファイル要求部と、ファイル要求部により要求されたメソッドファイルを提供システムから取得するファイル取得部とをさらに備えてもよい。この場合、任意の分析装置で使用可能なメソッドファイルをより容易に取得することができる。
【００１２】
（３）装置特定情報は、各メソッドファイルの実行時に使用される試薬、消耗品または付属装置の種類を示す備品情報をさらに含み、出力部は、備品情報に基づいて、判定部により分析装置で使用可能であると判定された各メソッドファイルの実行時に使用される試薬、消耗品または付属装置の種類についての情報をさらに出力してもよい。この場合、使用者は、所望のメソッドファイルの実行時に使用される試薬、消耗品または付属装置の種類についての情報を容易に認識することができる。
【００１３】
（４）備品情報は、試薬、消耗品または付属装置の生産国を示す情報をさらに含み、出力部は、備品情報に基づいて、判定部により分析装置に適合すると判定された各メソッドファイルの実行時に使用される試薬、消耗品または付属装置の生産国についての情報をさらに出力してもよい。この場合、試薬、消耗品または付属装置の生産国を容易に認識することができる。これにより、生産国が限定されている場合でも、試薬、消耗品または付属装置を当該生産国から取得することが容易になる。
【００１４】
（５）出力部は、判定部による判定結果を表示部に表示させる表示制御部を含んでもよい。この場合、使用者は、表示部により判定結果を容易に視認することができる。
【００１５】
（６）出力部は、判定部による判定結果を記憶部に記憶させる記憶制御部を含んでもよい。この場合、使用者は、記憶された判定結果を用いて、所望のタイミングで分析装置に適合するメソッドファイルを認識または取得することができる。
【００１６】
（７）第２の発明に係るメソッドフィルタリングシステムは、複数の装置要素を含むとともに、装置要素を変更可能に構成される分析装置と、複数のメソッドファイルを提供するとともに、各メソッドファイルに適合する分析装置を特定するための装置特定情報を提供する提供システムと、提供システムにより提供される複数のメソッドファイルのうち分析装置で使用可能なメソッドファイルを判定する第１の発明に係るメソッドフィルタリング装置とを備える。
【００１７】
このメソッドフィルタリングシステムにおいては、提供システムにより提供される複数のメソッドファイルのうち分析装置で使用可能なメソッドファイルが上記のメソッドフィルタリング装置により判定される。そのため、使用者は、分析装置の取り扱いに熟練していない場合でも、判定結果を視認することにより当該分析装置で使用可能なメソッドファイルを容易に認識することができる。これにより、任意の分析装置で使用可能なメソッドファイルを容易に取得することが可能になる。
【００１８】
（８）第３の発明に係るメソッドフィルタリング方法は、提供システムにより提供される複数のメソッドファイルのうち所定の分析装置で使用可能なメソッドファイルを判定するメソッドフィルタリング方法であって、分析装置は、複数の装置要素を含むとともに、装置要素を変更可能に構成され、メソッドフィルタリング方法は、装置要素に関する要素情報を分析装置から取得するステップと、提供システムから複数のメソッドファイルに関するメソッドファイル情報と、各メソッドファイルに適合する分析装置を特定するための装置特定情報とを取得するステップと、取得された要素情報と取得されたメソッドファイル情報および装置特定情報とに基づいて、提供システムにより提供される複数のメソッドファイルのうち分析装置で使用可能なメソッドファイルを判定するステップと、判定結果を出力するステップとを含む。
【００１９】
このメソッドフィルタリング方法によれば、使用者は、分析装置の取り扱いに熟練していない場合でも、判定結果を視認することにより当該分析装置で使用可能なメソッドファイルを容易に認識することができる。これにより、任意の分析装置で使用可能なメソッドファイルを容易に取得することが可能になる。
【発明の効果】
【００２０】
本発明によれば、任意の分析装置で使用可能なメソッドファイルを容易に取得することが可能になる。
【図面の簡単な説明】
【００２１】
【図１】本発明の一実施の形態に係るメソッドフィルタリングシステムの構成を示す図である。
【図２】図１のメソッドフィルタリング装置の構成を示す図である。
【図３】メソッドファイル情報および装置特定情報を説明するための図である。
【図４】表示部に表示される判定結果画面の一例を示す図である。
【図５】表示部に表示されるオプション画面の一例を示す図である。
【図６】メソッドフィルタリングプログラムにより行われるメソッドフィルタリング処理のアルゴリズムを示すフローチャートである。
【発明を実施するための形態】
【００２２】
（１）メソッドフィルタリングシステムの構成
以下、本発明の実施の形態に係るメソッドフィルタリング装置、それを備えたメソッドフィルタリングシステムおよびメソッドフィルタリング方法について図面を参照しながら詳細に説明する。図１は、本発明の一実施の形態に係るメソッドフィルタリングシステムの構成を示す図である。図１に示すように、メソッドフィルタリングシステム１００は、処理装置１０、オンラインメソッドストア３０および分析装置４０を含む。
【００２３】
処理装置１０は、ＣＰＵ（中央演算処理装置）１１、ＲＡＭ（ランダムアクセスメモリ）１２、ＲＯＭ（リードオンリメモリ）１３、記憶部１４、操作部１５、表示部１６および入出力Ｉ／Ｆ（インターフェイス）１７、通信部１８、バス１９およびデータベース記憶装置２０により構成される。ＣＰＵ１１、ＲＡＭ１２、ＲＯＭ１３、記憶部１４、操作部１５、表示部１６、入出力Ｉ／Ｆ１７、通信部１８およびデータベース記憶装置２０はバス１９に接続される。ＣＰＵ１１、ＲＡＭ１２およびＲＯＭ１３がメソッドフィルタリング装置１を構成する。
【００２４】
ＲＡＭ１２は、ＣＰＵ１１の作業領域として用いられる。ＲＯＭ１３にはシステムプログラムが記憶される。記憶部１４は、ハードディスクまたは半導体メモリ等の記憶媒体を含み、メソッドフィルタリングプログラムを記憶する。ＣＰＵ１１が記憶部１４に記憶されたメソッドフィルタリングプログラムをＲＡＭ１２上で実行することにより、後述するメソッドフィルタリング処理が行われる。
【００２５】
操作部１５は、キーボード、マウスまたはタッチパネル等の入力デバイスである。表示部１６は、液晶表示装置等の表示デバイスである。使用者は、操作部１５を用いてメソッドフィルタリング装置１に各種指示を行うことができる。表示部１６は、メソッドフィルタリング装置１による出力結果を表示可能である。入出力Ｉ／Ｆ１７は、分析装置４０に接続される。
【００２６】
通信部１８は、メソッドフィルタリング装置１をインターネットに接続するためのインターフェイスである。メソッドフィルタリング装置１は、通信部１８を介して、インターネットに接続されたオンラインメソッドストア３０との間で通信する。データベース記憶装置２０は、サーバ等の大容量の記憶装置を含み、多数のメソッドファイルおよび当該メソッドファイルに関する情報を予め記憶している。メソッドファイルは、分析装置４０の制御、分析データの収集、分析データ処理条件およびレポート出力等の条件を保管するためのアプリケーションファイルである。メソッドファイルに関する情報は、例えばメソッドファイルの名称または固有の識別子を含む。
【００２７】
オンラインメソッドストア３０は、インターネットを介して種々のメソッドファイルの販売を行う。使用者は、データベース記憶装置２０またはオンラインメソッドストア３０から所望のメソッドファイルを取得し、分析装置４０にインストールすることができる。分析装置４０は、例えば質量分析装置、ガスクロマトグラフィ分析装置または液体クロマトグラフィ分析装置であり、インストールされたメソッドファイルに基づいてサンプルについての分析データの取得および出力を行う。
【００２８】
分析装置４０は、カラム、検出器、型番および前処理装置等の複数の装置要素を含む。使用者は、使用目的に応じて複数の装置要素を変更することにより分析装置４０をカスタマイズすることが可能である。複数の装置要素の変更とは、複数の装置要素の少なくとも一部を他の装置要素に置き換えること、複数の装置要素の一部を取り除くこと、または複数の装置要素に他の装置要素を追加することを含む。この場合、分析装置４０で使用可能なメソッドファイルは、分析装置４０に含まれる装置要素の組み合わせにより動的に変化する。
【００２９】
メソッドフィルタリング装置１は、データベース記憶装置２０に記憶されているメソッドファイルまたはオンラインメソッドストア３０により販売されているメソッドファイルから分析装置４０で使用可能な１以上のメソッドファイルを判定する。また、メソッドフィルタリング装置１は、分析装置４０で使用可能であると判定されたメソッドファイルを使用者に提示する。以下、メソッドフィルタリング装置１の構成について説明する。
【００３０】
（２）メソッドフィルタリング装置の構成
図２は、図１のメソッドフィルタリング装置１の構成を示す図である。図２に示すように、メソッドフィルタリング装置１は、機能部として、装置情報取得部Ａ、提供システム情報要求部Ｂ、提供システム情報取得部Ｃ、判定部Ｄ、記憶制御部Ｅ、表示制御部Ｆ、ファイル要求部Ｇおよびファイル取得部Ｈを含む。記憶制御部Ｅおよび表示制御部Ｆが出力部Ｉを構成する。
【００３１】
図１のＣＰＵ１１が記憶部１４に記憶されたメソッドフィルタリングプログラムを実行することにより、メソッドフィルタリング装置１の機能部が実現される。メソッドフィルタリング装置１の機能部の一部または全てが電子回路等のハードウエアにより実現されてもよい。
【００３２】
分析装置４０には、各装置要素に付与された固有の要素情報が記憶されている。装置情報取得部Ａは、メソッドフィルタリング装置１の起動時に分析装置４０から自動的に要素情報を取得する。装置情報取得部Ａは、起動時以外にも、使用者による操作部１５の操作に基づいて分析装置４０から要素情報を取得または更新してもよい。
【００３３】
データベース記憶装置２０は、記憶されたメソッドファイルごとに分析装置が当該メソッドファイルに適合するために含むべき１以上の装置要素を示す装置特定情報を所有している。同様に、オンラインメソッドストア３０は、販売するメソッドファイルごとに分析装置が当該メソッドファイルに適合するために含むべき１以上の装置要素を示す装置特定情報を所有している。装置特定情報の詳細は後述する。提供システム情報要求部Ｂは、使用者による操作部１５の操作に基づいてデータベース記憶装置２０またはオンラインメソッドストア３０に複数のメソッドファイルに関するメソッドファイル情報と、各メソッドファイルに適合する分析装置を特定するため装置特定情報とを要求する。
【００３４】
以下の説明では、データベース記憶装置２０またはオンラインメソッドストア３０を提供システム２と呼ぶ。提供システム２は、メソッドフィルタリング装置１からの要求に応答して、所有する装置特定情報をメソッドフィルタリング装置１に与える。提供システム情報取得部Ｃは、提供システム２からメソッドファイル情報および装置特定情報を取得する。判定部Ｄは、装置情報取得部Ａにより取得された要素情報と、提供システム情報取得部Ｃにより取得されたメソッドファイル情報および装置特定情報とに基づいて、分析装置４０で使用可能なメソッドファイルを判定する。
【００３５】
記憶制御部Ｅは、判定部Ｄにより分析装置４０で使用可能であると判定された１以上のメソッドファイルを示す情報を記憶部１４に記憶させる。使用者は、記憶部１４に記憶された判定結果を用いて、所望のタイミングで分析装置４０で使用可能なメソッドファイルを認識または取得することができる。表示制御部Ｆは、判定部Ｄにより分析装置４０で使用可能であると判定された１以上のメソッドファイルについての情報（名称および内容）等を表示部１６に表示させる。使用者は、表示部１６に表示された１以上のメソッドファイルについての情報を視認しつつ、操作部１５を操作することにより所望のメソッドファイルを選択することができる。
【００３６】
ファイル要求部Ｇは、使用者により選択されたメソッドファイルを提供システム２に要求する。提供システム２は、メソッドフィルタリング装置１からの要求に応答して、要求されたメソッドファイルをメソッドフィルタリング装置１に与える。ファイル取得部Ｈは、ファイル要求部Ｇにより要求されたメソッドファイルを提供システム２から取得する。また、ファイル取得部Ｈは、取得されたメソッドファイルを分析装置４０にインストールする。
【００３７】
（３）メソッドフィルタリング装置の動作の具体例
図３は、メソッドファイル情報および装置特定情報を説明するための図である。以下の説明では、「00000001」等の固有の識別子「○○○○」が付与されたメソッドファイルをメソッドファイル「○○○○」と呼ぶ。「AAAAAAA1」等の固有の識別子「△△△△」が付与された装置要素を装置要素「△△△△」と呼ぶ。
【００３８】
図３の例においては、メソッドファイル「00000001」は、装置要素「AAAAAAA1」を含む分析装置４０に適合する。メソッドファイル「00000002」は、装置要素「AAAAAAA2」，「AAAAAAA3」，…，「AAAAAAAA」のいずれかを含む分析装置４０に適合する。メソッドファイル「00000003」は、装置要素「AAAAAA11」と、装置要素「BBBBBBB1」とを含む分析装置４０に適合する。
【００３９】
メソッドファイル「00000004」は、装置要素「AAAAAA12」と、装置要素「BBBBBBB2」，「BBBBBBB3」，…，「BBBBBBBB」のいずれかとを含む分析装置４０に適合する。メソッドファイル「00000005」は、装置要素「AAAAAA21」と、装置要素「BBBBBBC1」，「BBBBBBC2」，…，「BBBBBBCB」のいずれかと、装置要素「CCCCCCC1」，「CCCCCCC2」，…，「CCCCCCCC」のいずれかとを含む分析装置４０に適合する。
【００４０】
このように、装置特定情報には、各メソッドファイルに適合する装置要素または装置要素の組み合わせが示される。これにより、使用者が分析装置４０をカスタマイズしたことにより分析装置４０の装置要素が変更された場合でも、判定部Ｄは、カスタマイズ後の分析装置４０で使用可能なメソッドファイルを判定することができる。その後、表示制御部Ｆは、判定結果を示す判定結果画面を表示部１６に表示させる。
【００４１】
図４は、表示部１６に表示される判定結果画面の一例を示す図である。図４に示すように、判定結果画面３には、分析装置４０で使用可能であると判定された１以上のメソッドファイルの名称と、当該メソッドファイルの内容とが対応するように表示される。図４の例では、判定結果画面３に表示されるメソッドファイルの名称は「メソッドファイルＡＡＡＡ」等であり、判定結果画面３に表示されるメソッドファイルの内容は「ＡＡすることができます。」等である。判定結果画面３のスクロールバーを操作することにより、他のメソッドファイルの名称および内容を判定結果画面３に表示させることができる。
【００４２】
各メソッドファイルの名称に対応する内容の表示欄には、メソッドファイルの内容とともに、インストールボタンａおよびオプションボタンｂが表示される。使用者は、操作部１５を用いて所望のメソッドファイルに対応するインストールボタンａを操作することにより、当該メソッドファイルを提供システム２から取得し、分析装置４０にインストールすることができる。
【００４３】
なお、メソッドファイルをオンラインメソッドストア３０から取得する場合には、インストールボタンａが操作されることにより、表示部１６の表示がメソッドファイルの支払金額および支払方法等を確定するための画面に遷移する。当該画面において所定の入力操作が完了した後、分析装置４０にメソッドファイルがインストールされる。
【００４４】
装置特定情報には、各メソッドファイルの実行時に使用される試薬、消耗品または付属装置等の備品の種類、および当該備品の生産国を示す備品情報が含まれる。消耗品は、例えば電子線源のフィラメントを含む。付属装置は、例えばサンプルが注入されるセルを含む。使用者は、所望のメソッドファイルの実行時に使用される備品を調べる際に、操作部１５を用いて当該メソッドファイルに対応するオプションボタンｂを操作する。この場合、表示制御部Ｆは、備品情報に基づいて備品についての情報を示すオプション画面を表示部１６に表示させる。
【００４５】
図５は、表示部１６に表示されるオプション画面の一例を示す図である。図５に示すように、オプション画面４には、特定のメソッドファイルの実行時に使用される備品の名称が表示される。図５の例では、オプション画面４に表示される備品の名称は、「試薬ＡＡ１」、「消耗品ＡＡ３」および「付属装置ＡＡ６」等である。オプション画面４のスクロールバーを操作することにより、他の備品の名称を判定結果画面３に表示させることができる。
【００４６】
備品の生産国が限定されている場合には、特定の国では特定の備品を入手することが困難であることがある。そこで、オプション画面４には、備品情報に基づいて、各備品の生産国の国名が当該備品の名称と対応するように表示される。使用者は、所望の備品の生産国の国名を認識することにより、該当する国から所望の備品を容易に入手することができる。
【００４７】
（４）メソッドフィルタリング処理
図６は、メソッドフィルタリングプログラムにより行われるメソッドフィルタリング処理のアルゴリズムを示すフローチャートである。本実施の形態においては、メソッドフィルタリング処理は、メソッドフィルタリング装置１の起動時に自動的に開始される。メソッドフィルタリング処理は、メソッドフィルタリング装置１の起動時以外にも、使用者による操作部１５の操作に基づいて開始されてもよい。メソッドフィルタリング処理が開始されると、装置情報取得部Ａは、分析装置４０から要素情報を取得する（ステップＳ１）。
【００４８】
次に、提供システム情報要求部Ｂは、メソッドファイル情報および装置特定情報の取得が指示されたか否かを判定する（ステップＳ２）。使用者は、操作部１５を操作することによりメソッドファイル情報および装置特定情報の取得を指示することができる。メソッドファイル情報および装置特定情報の取得が指示された場合、提供システム情報要求部Ｂは、提供システム２にメソッドファイル情報および装置特定情報を要求する（ステップＳ３）。提供システム情報取得部Ｃは、提供システム２からステップＳ３で要求されたメソッドファイル情報および装置特定情報を取得する（ステップＳ４）。
【００４９】
判定部Ｄは、ステップＳ１で取得された要素情報とステップＳ４で取得されたメソッドファイル情報および装置特定情報とに基づいて、分析装置４０で使用可能なメソッドファイルを判定する（ステップＳ５）。記憶制御部Ｅは、ステップＳ５の判定結果を示す情報を記憶部１４に記憶させる（ステップＳ６）。表示制御部Ｆは、ステップＳ５の判定結果を示す判定結果画面３（図４参照）を表示部１６に表示させる（ステップＳ７）。
【００５０】
ファイル要求部Ｇは、ステップＳ７で表示された判定結果画面３において、いずれかのインストールボタンａが操作されたか否かを判定する（ステップＳ８）。使用者は、判定結果画面３においていずれかのメソッドファイルの取得を所望する場合には、当該メソッドファイルに対応するインストールボタンａを操作する。
【００５１】
ステップＳ８で、いずれのインストールボタンａも操作されない場合、ファイル要求部Ｇは、ステップＳ７で表示された判定結果画面３において、いずれかのオプションボタンｂが操作されたか否かを判定する（ステップＳ９）。使用者は、判定結果画面３においていずれかのメソッドファイルの実行時に使用される備品を調べる場合には、当該メソッドファイルに対応するオプションボタンｂを操作する。
【００５２】
ステップＳ９で、いずれのオプションボタンｂも操作されない場合、ファイル要求部ＧはステップＳ２に戻る。いずれかのオプションボタンｂが操作された場合、表示制御部Ｆは、ステップＳ４で取得された装置特定情報に基づいてオプション画面４（図５参照）を表示部１６に表示させる（ステップＳ１０）。その後、表示制御部ＦはステップＳ２に戻る。
【００５３】
ステップＳ８で、いずれかのインストールボタンａが操作された場合、ファイル要求部Ｇは、操作されたインストールボタンａに対応するメソッドファイルを提供システム２に要求する（ステップＳ１１）。ファイル取得部Ｈは、ステップＳ１１で要求されたメソッドファイルを提供システム２から取得する（ステップＳ１２）。また、ファイル取得部Ｈは、ステップＳ１２で取得されたメソッドファイルを分析装置４０にインストールする（ステップＳ１３）。その後、ファイル取得部Ｈは、ステップＳ２に戻る。
【００５４】
ステップＳ２で、メソッドファイル情報および装置特定情報の取得が指示されない場合、提供システム情報要求部Ｂは、メソッドフィルタリング処理の終了が指示されたか否かを判定する（ステップＳ１４）。使用者は、操作部１５を操作することにより、メソッドフィルタリング処理の終了を指示することができる。
【００５５】
ステップＳ１４で、メソッドフィルタリング処理の終了が指示されない場合、提供システム情報要求部ＢはステップＳ８に進む。なお、メソッドファイル情報および装置特定情報の取得が指示されない状態でステップＳ８に進んだ場合、表示部１６に判定結果画面３が表示されないため、ステップＳ８でインストールボタンａが操作されることもなく、ステップＳ９でオプションボタンｂが操作されることもない。ステップＳ１４で、メソッドフィルタリング処理の終了が指示された場合、提供システム情報要求部Ｂは、メソッドフィルタリング処理を終了する。
【００５６】
（５）効果
本実施の形態に係るメソッドフィルタリング装置１においては、分析装置４０に含まれる各装置要素に固有の要素情報が装置情報取得部Ａにより当該分析装置４０から取得される。提供システム２から複数のメソッドファイルに関するメソッドファイル情報と、各メソッドファイルに適合する分析装置を特定するための装置特定情報とが提供システム情報取得部Ｃにより取得される。取得された要素情報と取得されたメソッドファイル情報および装置特定情報とに基づいて、提供システム２により提供される複数のメソッドファイルのうち分析装置４０で使用可能な１以上のメソッドファイルが判定部Ｄにより判定される。判定結果が出力部Ｉにより出力される。
【００５７】
この構成によれば、分析装置４０の装置要素が変更された場合でも、装置特定情報に基づいて装置要素が変更された後の分析装置４０で使用可能なメソッドファイルが判定される。そのため、使用者は、分析装置４０の取り扱いに熟練していない場合でも、判定結果を視認することにより当該分析装置４０で使用可能なメソッドファイルを容易に認識することができる。これにより、任意の分析装置４０で使用可能なメソッドファイルを容易に取得することが可能になる。また、使用者は、分析装置４０で使用可能なメソッドファイルを認識することにより、分析装置４０の機能をどのように拡張することができるかを容易に認識することができる。
【００５８】
（６）他の実施の形態
（ａ）上記実施の形態において、メソッドフィルタリング装置１はオンラインメソッドストア３０および分析装置４０とは別体として設けられるが、本発明はこれに限定されない。メソッドフィルタリング装置１はオンラインメソッドストア３０と一体的に設けられてもよいし、分析装置４０と一体的に設けられてもよい。
【００５９】
（ｂ）上記実施の形態において、メソッドフィルタリングシステム１００はデータベース記憶装置２０およびオンラインメソッドストア３０の両方を含むが、本発明はこれに限定されない。メソッドフィルタリングシステム１００はデータベース記憶装置２０およびオンラインメソッドストア３０の一方を含まなくてもよい。メソッドフィルタリングシステム１００がオンラインメソッドストア３０を含まない場合には、処理装置１０は通信部１８を含まなくてもよい。
【００６０】
（ｃ）上記実施の形態において、出力部Ｉは記憶制御部Ｅおよび表示制御部Ｆの両方を含むが、本発明はこれに限定されない。出力部Ｉは、記憶制御部Ｅおよび表示制御部Ｆの一方を含まなくてもよい。あるいは、処理装置１０が印刷装置に接続され、判定結果が出力部Ｉにより印刷装置に出力される場合には、出力部Ｉは記憶制御部Ｅおよび表示制御部Ｆの両方を含まなくてもよい。この場合、印刷装置により判定結果が紙面に印刷される。
【００６１】
（ｄ）上記実施の形態において、メソッドフィルタリング装置１はメソッドファイルを取得（購入またはダウンロードを含む。）可能に構成されるが、本発明はこれに限定されない。メソッドフィルタリング装置１はメソッドファイルを取得可能に構成されなくてもよい。この場合、メソッドフィルタリング装置１はファイル要求部Ｇおよびファイル取得部Ｈを含まない。
【００６２】
（ｅ）上記実施の形態において、メソッドフィルタリング装置１は使用者の指示に基づいて提供システム２にメソッドファイル情報および装置特定情報を要求するが、本発明はこれに限定されない。メソッドフィルタリング装置１は、メソッドフィルタリング装置１の起動時等の所定の時点で提供システム２に自動的にメソッドファイル情報および装置特定情報を要求してもよい。
【００６３】
（ｆ）上記実施の形態において、装置特定情報は備品情報を含むが、本発明はこれに限定されない。装置特定情報は備品情報を含まなくてもよい。
【符号の説明】
【００６４】
１…メソッドフィルタリング装置，２…提供システム，３…判定結果画面，４…オプション画面，１０…処理装置，１１…ＣＰＵ，１２…ＲＡＭ，１３…ＲＯＭ，１４…記憶部，１５…操作部，１６…表示部，１７…入出力Ｉ／Ｆ，１８…通信部，１９…バス，２０…データベース記憶装置，３０…オンラインメソッドストア，４０…分析装置，１００…メソッドフィルタリングシステム，Ａ…装置情報取得部，ａ…インストールボタン，Ｂ…提供システム情報要求部，ｂ…オプションボタン，Ｃ…提供システム情報取得部，Ｄ…判定部，Ｅ…記憶制御部，Ｆ…表示制御部，Ｇ…ファイル要求部，Ｈ…ファイル取得部，Ｉ…出力部
【図１】
2020030614.tif 000003
【図２】
2020030614.tif 000004
【図３】
2020030614.tif 000005
【図４】
2020030614.tif 000006
【図５】
2020030614.tif 000007
【図６】
2020030614.tif 000008